(57)【要約】【課題】  本発明はインペラ手段の冷却ファンが形成された燃料電池用ターボ送風機に関するものである。【解決手段】  本発明は、高圧の空気を生成するインペラ手段を、空冷及び水冷を同時に利用する冷却構造に冷却させて温度の上昇を防止することによって、インペラ手段の効率及び耐久性を高める。【選択図】  図３
2020070802.tif 000002
【特許請求の範囲】
【請求項１】
圧縮空気を生成するインペラ手段（２００）を、第１の空気吸入コンパートメント（１１０）および第２の空気吸入コンパートメント（１２０）で区分されたブロワーのケーシング手段（１００）に位置及び結合させ、前記第２の空気吸入コンパートメント（１２０）を空冷及び水冷を同時に使用して冷却することによって、インペラ手段（２００）の冷却効果を最大化すると同時に、効率及び耐久性を向上させて、高熱により発生するターボ送風機の短い寿命及び効率低下の問題を解決するため、インペラ手段の冷却ファンが形成された燃料電池用ターボ送風機１において、
吸入された空気の流動及び吐出を案内するブロワーのケーシング手段 （１００）と;
前記ブロワーのケーシング手段（１００）の内部に位置及び結合されて、空気の流入及び流動を発生するインペラ手段（２００）と;で構成され、
内部に吸入される空気を、特定の経路へ誘導してインペラ手段（２００）の温度上昇を防止するブロワーのケーシング手段（１００）は、
インペラ（２３０）により吸入される空気が流動される第１の空気吸入コンパートメント（１１０）と;
インペラ手段の冷却ファン（２４０）により吸入される空気が流動される第２の空気吸入コンパートメント（１２０）と;
インペラ（２３０）により前記第１の空気吸入コンパートメント（１１０）の内部に空気が吸入されるようにする第１の空気の吸入ダクト（１３０）と;
前記第１の空気の吸入ダクト（１３０）を通して吸入された空気は、インペラ手段（２００）によって圧縮され、燃料電池スタックに吐出できるようにする第１の空気の排出ダクト（１４０）と;
インペラ手段の冷却ファン（２４０）により前記第２の空気吸入コンパートメント（１２０）の内部に空気が吸入されるようにする第２の空気の吸入ダクト（１５０）と;
前記第２の空気の吸入ダクト（１５０）を通して吸入されてインペラ手段（２００）を冷却した空気を排出する第２の空気の排出ダクト（１６０）と;
前記第２の空気の吸入ダクト（１５０）および第２の空気の排出ダクト（１６０）により生成される空冷空気の流動経路（１７０）と;
前記第２の空気吸入コンパートメント（１２０）に位置したインペラ手段（２００）に隣接して形成されて、外部から供給される冷却水のフローを通して、インペラ手段（２００）を冷却する冷却水の流入循環溝（１８１）が形成されたインペラ手段の水冷式冷却部（１８０）と;で構成されて、
第２の空気吸入コンパートメント（１２０）に位置した高速で回転するインペラ手段（２００）の一部を特定の経路へ誘導される空気の流動を利用して冷却させて、インペラ手段（２００）の温度上昇を低下させることによって、空冷及び水冷を同時に使用する冷却方式で燃料電池用ターボ送風機の効率及び耐久性を最大化し、
第１の空気吸入コンパートメント（１１０）および第２の空気吸入コンパートメント（１２０）の内部にそれぞれ空気が吸入されるようにするインペラ手段（２００）は、
ステータ（２１０）と;
ローター（２２０）と;
インペラ（２３０）と;
前記ローター（２２０）の端部に結合されたインペラ（２３０）と反対の方向に隔離されてローター（２２０）の他端部に結合され、第２の空気吸入コンパートメント（１２０）に位置して、第２の空気吸入コンパートメント（１２０）の内部に空気を吸入するインペラ手段の冷却ファン（２４０）と;で構成されて、
高速で回転するインペラ手段（２００）の温度上昇を低下し、効率及び耐久性を最大化させることを特徴とするインペラ手段の冷却ファンが形成された燃料電池用ターボ送風機。
【発明の詳細な説明】
【技術分野】
【０００１】
本発明はインペラ手段の冷却ファンが形成された燃料電池用ターボ送風機に関するものであり、より詳細には、高圧の空気を生成するインペラ手段を、空冷及び水冷を同時に利用する冷却構造に冷却させて温度の上昇を防止することによって、インペラ手段の効率及び耐久性を高めるインペラ手段の冷却ファンが形成された燃料電池用ターボ送風機に関するものである。
【背景技術】
【０００２】
化石エネルギーの枯渇による原油価格の持続的な上昇、車両から排出される排出ガスに応じた環境汚染などの問題により、燃料電池を用いた車両の開発がより切実に要求されている。
【０００３】
燃料電池は、水素と酸素との反応過程において電気エネルギーを発生する電池であるため、燃料電池車は、燃料電池スタックと、燃料電池スタックに水素を供給する水素供給装置と、空気を圧縮した後に燃料電池スタックに供給する空気ブロワーなどが取り付けられる。
【０００４】
特に、車両用燃料電池用空気ブロワーは、低流量および高圧を必要とし、同時に、高い耐久性と低ノイズ、広い動作範囲を必要とする。
【０００５】
このような燃料電池用空気ブロワーは、燃料電池スタックにおいて電気を発生させるために必要な酸素を供給する装置であって、燃料電池システムのコア部品であり、燃料電池スタックに送達される過程で生じる流れ抵抗の損失を低減するために、大気を圧縮するプロセスが含まれる。
【０００６】
また、燃料電池用空気ブロワーは、燃料電池スタックで必要な空気の圧力および流量レベルに応じて決定される形状に適用される。例えば、低流量及び高圧の領域ではスクリューまたは容積型圧縮機が適用され、比較的高い流量及び低圧の領域では、ターボ型圧縮機が適用されることが一般的である。
【０００７】
前記スクリューコンプレッサーの場合、ターボ型圧縮機よりも低い回転数で動作し、直感的に理解できる圧縮構造を有しているが、欠点は重く、かさばることである。ターボ型コンプレッサーの場合、小型でシンプルな構造で製品を安くすることができるが、高速回転に適した潤滑構造を確保する必要がある。
【０００８】
本発明では、このような従来の車両の燃料電池用空気ブロワーを冷却方法及び冷却構造に対して重点的に実験して、燃料電池用空気送風機の熱を取ることによって、効率及び耐久性を向上させる燃料電池用空気ブロワーを提供する。
【０００９】
インペラ手段の冷却ファンが形成された燃料電池用ターボ送風機の従来技術として、図５の（ａ）に示すように、韓国公開特許第１０-１７３５０４２号公報「燃料電池車両用送風機」(以下、特許文献１という)は、ベアリングの外周と接する領域に空気の流動溝を形成することによって、軸荷重を低減して耐久性を向上することができ、ベアリングを含むモーターを冷却することができ、モータのケースに冷却水の流路が形成されることによって、冷却効率をさらに高めた燃料電池車両用空気ブロアに関するものである。
【００１０】
また、他の従来技術として、図５の（ｂ）に示すように、韓国公開特許第１０-２０１６-００９７８８４号公報「燃料電池車両用空気ブロワー」 (以下、 特許文献２という)は、送風機の外部を形成するハウジングと；前記ハウジングの前面に連結され、外気を吸入するインペラを支持するインペラ支持部と；インペラを覆うように前記インペラ支持部に結合され、空気を導入する空気入口および圧縮空気を排出する空気出口を有するインペラハウジングと；前記ハウジングの後側に結合されている後部カバーと；前記ハウジングの内部に設置され、前記インペラの回転を駆動するブロワーモータと；を含む燃料電池車両用空気ブロワーに関するものである。前記インペラ支持部は、インペラによって引き起こされた空気を前記ハウジング内に導入することを可能にする第１の流路を含んで、送風機に別の排水ホースや排水用のポートがないため、送風機の管理が容易になり、排水ホースを交換する必要がない。 また、ブロワーモータの回転子を十分に冷却することができ、回転子の熱による軸受の耐久性の低下や短尺化を抑制することができる効果を有する。
【００１１】
以上説明したように、特許文献１ないし特許文献２は、本発明と同様の技術分野として、発明が解決すべき課題(発明の目的)においては一部同様であるが、これを解決するための手段、すなわち構成要素およびその効果 に違いがある。
【００１２】
したがって、技術的な機能は異なる。
【先行技術文献】
【特許文献】
【００１３】
【特許文献１】韓国登録特許第１０−１７３５０４２号公報
【特許文献２】韓国公開特許第１０−２０１６−００９７８８４号公報
【発明の概要】
【発明が解決しようとする課題】
【００１４】
したがって、本発明は、前記のような問題点を解決するために提案された技術として、発明の目的は、空冷及び水冷を同時に利用する冷却構造を形成して、インペラの温度上昇を低下させることによって、効率及び耐久性の向上した燃料電池用ターボ送風機を提供することにある。
【００１５】
また、発明の他の目的は、インペラ手段によって、ブロワーのケーシング手段の第２の空気吸入コンパートメント内部へ空気が自然に吸入され、吸入された空気が特定の経路に沿って流れるように誘導することにより、インペラ手段の温度上昇を低下させる燃料電池用ターボ送風機の提供にある。
【課題を解決するための手段】
【００１６】
前記目的を達成するための本発明によるインペラ手段の冷却ファンが形成された燃料電池用ターボ送風機は、圧縮空気を生成するインペラ手段を、第１の空気吸入コンパートメントおよび第２の空気吸入コンパートメントで区分されたブロワーのケーシング手段に位置及び結合させ、前記第２の空気吸入コンパートメントを空冷及び水冷を同時に使用して冷却することによって、インペラ手段の冷却効果を最大化すると同時に、効率及び耐久性を向上させて、高熱により発生するターボ送風機の短い寿命及び効率低下の問題を解決するため、インペラ手段の冷却ファンが形成された燃料電池用ターボ送風機１において、吸入された空気の流動及び吐出を案内するブロワーのケーシング手段と;前記ブロワーのケーシング手段の内部に位置及び結合されて、空気の流入及び流動を発生するインペラ手段と;で構成され、内部に吸入される空気を、特定の経路へ誘導してインペラ手段の温度上昇を防止するブロワーのケーシング手段は、インペラにより吸入される空気が流動される第１の空気吸入コンパートメントと;インペラ手段の冷却ファンにより吸入される空気が流動される第２の空気吸入コンパートメントと;インペラにより前記第１の空気吸入コンパートメントの内部に空気が吸入されるようにする第１の空気の吸入ダクトと;前記第１の空気の吸入ダクトを通して吸入された空気は、インペラ手段によって圧縮され、燃料電池スタックに吐出できるようにする第１の空気の排出ダクトと;インペラ手段の冷却ファンにより前記第２の空気吸入コンパートメントの内部に空気が吸入されるようにする第２の空気の吸入ダクトと;前記第２の空気の吸入ダクトを通して吸入されてインペラ手段を冷却した空気を排出する第２の空気の排出ダクトと;前記第２の空気の吸入ダクトおよび第２の空気の排出ダクトにより生成される空冷空気の流動経路と;前記第２の空気吸入コンパートメントに位置したインペラ手段に隣接して形成されて、外部から供給される冷却水のフローを通して、インペラ手段を冷却する冷却水の流入循環溝が形成されたインペラ手段の水冷式冷却部と;で構成されて、第２の空気吸入コンパートメントに位置した高速で回転するインペラ手段の一部を特定の経路へ誘導される空気の流動を利用して冷却させて、インペラ手段の温度上昇を低下させることによって、空冷及び水冷を同時に使用する冷却方式で燃料電池用ターボ送風機の効率及び耐久性を最大化し、第１の空気吸入コンパートメントおよび第２の空気吸入コンパートメントの内部にそれぞれ空気が吸入されるようにするインペラ手段は、ステータと;ローターと;インペラと;前記ローターの端部に結合されたインペラと反対の方向に隔離されてローターの他端部に結合され、第２の空気吸入コンパートメントに位置して、第２の空気吸入コンパートメントの内部に空気を吸入するインペラ手段の冷却ファンと;で構成されて、高速で回転するインペラ手段の温度上昇を低下し、効率及び耐久性を最大化させることを特徴とする。
【発明の効果】
【００１７】
以上の構成および作用で前記説明したように、本発明によると、圧縮空気を生成するインペラ手段を、空冷及び水冷を同時に利用することができる冷却構造で冷却させて、温度上昇を防止する。
【００１８】
特に、空冷を利用した冷却方法は、インペラ手段の冷却ファンによって、自然にブロワーのケーシング手段の第２の空気吸入コンパートメントの内部に吸入される空気の流動を通して、インペラ手段を冷却する。
【００１９】
即ち、第２の空気吸入コンパートメントの内部に吸入される空気の流動によりインペラの温度を低下させる。
【００２０】
これにより、燃料電池用ターボ送風機の効率および耐久性が最大化される。
【００２１】
また、燃料電池スタックに供給される圧縮空気を発生させる第１の空気吸入コンパートメントが別に形成されるため、圧縮空気の量が一定に保たれる。
【００２２】
即ち、燃料電池用ターボ送風機の完璧な冷却により、高効率性および経済性が維持及び確保できる、非常に有効な発明である。
【図面の簡単な説明】
【００２３】
【図１】本発明であるインペラ手段の冷却ファンが形成された燃料電池用ターボ送風機の構成図である。
【図２】本発明であるインペラ手段の冷却ファンが形成された燃料電池用ターボ送風機の状態斜視図である。
【図３】本発明であるインペラ手段の冷却ファンが形成された燃料電池用ターボ送風機の断面図である。
【図４】本発明であるインペラ手段の冷却ファンが形成された燃料電池用ターボ送風機の作動及び吸入される空気の流動を示すフローチャートである。
【図５】本発明であるインペラ手段の冷却ファンが形成された燃料電池用ターボ送風機の先行技術の選択図である。
【発明を実施するための形態】
【００２４】
以下、本発明は様々な変換を加えることができ、いろいろな実施例を持つことができるが、特定の実施例を図面に例示して詳しく説明しようとする。しかし、これは本発明を特定の実施形態について限定するものではなく、本発明の思想及び技術範囲に含まれるすべての変換、均等物ないし代替物を含むことを理解されたい。 
【００２５】
本実施の例は当該発明が属する技術分野で通常の知識を持った者に本発明をさらに詳しく説明するために提供される。従って、図面に示した各要素の形状はよりはっきりとした説明を強調するために誇張されることが可能で、本発明の説明において関連した公知技術に対する具体的な説明が本発明の要旨と異なると判断される場合、その詳しい説明を省略する。
【００２６】
以下、添付図面を参照して本発明であるインペラ手段の冷却ファンが形成された燃料電池用ターボ送風機の機能、構成および作用を詳しく説明する。
【００２７】
図１は、本発明であるインペラ手段の冷却ファンが形成された燃料電池用ターボ送風機の構成図であり、図２は、本発明であるインペラ手段の冷却ファンが形成された燃料電池用ターボ送風機の状態斜視図であり、図３は、本発明であるインペラ手段の冷却ファンが形成された燃料電池用ターボ送風機の断面図である。
【００２８】
図１ないし図３に図示したように、本発明は、インペラ手段の冷却ファンが形成された燃料電池用ターボ送風機１において、吸入された空気の流動及び吐出を案内するブロワーのケーシング手段１００;及び前記ブロワーのケーシング手段１００の内部に位置及び結合されて、空気の流入及び流動を発生するインペラ手段２００;で構成される。
【００２９】
前記ブロワーのケーシング手段１００には、インペラ手段の冷却ファン２４０によってブロワーのケーシング手段１００の第２の空気吸入コンパートメント１２０の内部に空気が吸入されるように第２の空気の吸入ダクト１５０;及び前記第２の空気の吸入ダクト１５０を通して吸入された空気が排出される第２の空気の排出ダクト１６０;が形成される。
【００３０】
前記インペラ手段２００には、ローター２２０の端部に結合されたインペラ２３０と反対の方向に隔離されて、ローター２２０の他端部に結合され、第２の空気吸入コンパートメント１２０に位置して、第２の空気吸入コンパートメント１２０の内部に空気を吸入するインペラ手段の冷却ファン２４０が形成されて、高速で回転するインペラ手段２００の温度上昇を抑制し、効率および耐久性を最大化させることを特徴とする。
【００３１】
即ち、本発明は、燃料電池スタックに酸素を供給する燃料電池用ターボ送風機として、圧縮空気を生成するインペラ手段２００を、第１の空気吸入コンパートメント１１０および第２の空気吸入コンパートメント１２０で区切られたブロワーのケーシング手段１００に位置及び結合させて、第２の空気吸入コンパートメント１２０を空冷及び水冷を同時に使用して冷却することによって、燃料電池用ターボ送風機の冷却効果を最大化することと同時に、これによる燃料電池用ターボ送風機の効率及び耐久性を向上させ、高熱により発生する燃料電池用ターボ送風機の問題(短い寿命及び効率の低下)を解決するためのものである。
【００３２】
より具体的には、内部に吸入される空気を、特定の経路へ誘導してインペラ手段２００の温度上昇を防止するブロワーのケーシング手段１００は、図３に図示したように、インペラ２３０により吸入される空気が流動される第１の空気吸入コンパートメント１１０;インペラ手段の冷却ファン２４０により吸入される空気が流動される第２の空気吸入コンパートメント１２０;インペラ２３０によって前記第１の空気吸入コンパートメント１１０の内部に空気が吸入されるようにする第１の空気の吸入ダクト１３０;前記第１の空気の吸入ダクト１３０を通して吸入された空気はインペラ手段２００によって圧縮されて、燃料電池スタックに吐出できるようにする第１の空気の排出ダクト１４０;インペラ手段の冷却ファン２４０によって前記第２の空気吸入コンパートメント１２０の内部に空気が吸入されるようにする第２の空気の吸入ダクト１５０;前記で第２の空気の吸入ダクト１５０を通して吸入されてインペラ手段２００で冷却した空気を排出する第２の空気の排出ダクト１６０;前記第２の空気の吸入ダクト１５０および第２の空気の排出ダクト１６０によって生成される空冷空気の流動経路１７０;及び前記第２の空気吸入コンパートメント１２０に位置したインペラ手段２００に隣接して形成され、外部から供給される冷却水のフローを通して、インペラ手段２００を冷却する冷却水の流入循環溝１８１が形成されたインペラ手段の水冷式冷却部１８０;で構成される。
【００３３】
前記第２の空気吸入コンパートメント１２０に位置した高速で回転するインペラ手段２００の一部を、特定の経路へ誘導される空気の流動を利用して冷却させて、インペラ手段２００の温度上昇を低下させることによって、空冷及び水冷を同時に使用する冷却方式で燃料電池用ターボ送風機の効率及び耐久性を最大化するようにする。
【００３４】
即ち、本発明は、前述したように、燃料電池用ターボ送風機を空冷及び水冷を同時に使用した冷却方法として、第２の空気吸入コンパートメント１２０内部の温度上昇を防止し、さらに、熱平衡（ｔｈｅｒｍａｌ ｅｑｕｉｌｉｂｒｉｕｍ）状態を計って、燃料電池用ターボ送風機の効率及び耐久性を高めるようにする。
【００３５】
一方、ブロワーのケーシング手段１００、つまり、第１の空気吸入コンパートメント１１０および第２の空気吸入コンパートメント１２０の内部に空気を吸入するようにするインペラ手段２００は、従来の燃料電池用ターボ送風機の構成と同じく、ステータ２１０;ローター２２０;およびインペラ２３０;で構成される。
【００３６】
本発明は、前記ローター２２０の端部に結合されたインペラ２３０と反対の方向に隔離されてローター２２０の他端部に結合され、前記第２の空気吸入コンパートメント１２０に位置して、第２の空気吸入コンパートメント１２０の内部に空気を吸入するインペラ手段の冷却ファン２４０がさらに含まれて構成される。
【００３７】
前記インペラ手段の冷却ファン２４０は、図３に図示したように、第２の空気吸入コンパートメント１２０に位置し、インペラ２３０を回転するローター２２０の他端部に結合するため、インペラ手段の冷却ファン２４０を回転させるための別の力は必要ではない。
【００３８】
即ち、本発明は、ブロワーのケーシング手段１００とインペラ手段２００との有機的な結合、詳しくは、インペラ手段２００が第１の空気吸入コンパートメント１１０および第２の空気吸入コンパートメント１２０に結合するように構成されているブロワーのケーシング手段１００の有機的な結合、およびブロワーのケーシング手段１００と有機的に結合するように対応して形成されたインペラ手段２００との結合によって、第２の空気吸入コンパートメント１２０に位置したインペラ手段２００の一部を空冷及び水冷を同時に使用した冷却方法で冷却する技術である。
【００３９】
このような本発明のブロワーのケーシング手段１００の有機的な結合の関係は、これに対応するように形成されたインペラ手段２００との組み合わせにより、燃料電池用ターボ送風機が出すことができる効果を最大限に活用する。
【００４０】
たとえば、第一に、ブロワーのケーシング手段１００の内部に空気が吸入されている領域を、第１の空気吸入コンパートメント１１０および第２の空気吸入コンパートメント１２０で区分して、燃料電池スタックに供給される圧縮空気の場合、第１の空気吸入コンパートメント１１０でインペラ２３０に吸い込まれる空気を圧縮して吐出す。
【００４１】
一方、インペラ２３０を回転させるステータ２１０およびローター２２０は、第２の空気吸入コンパートメント１２０に位置して、ローター２２０の回転で回転するインペラ手段の冷却ファン２４０によって吸入される空気を空冷空気の流動経路１７０に誘導することによって、空冷空気の流動経路１７０を流れる空気をステータ２１０及びローター２２０と接触させて、インペラ手段２００の温度上昇の防止、即ち、第２の空気吸入コンパートメント１２０の温度上昇を防止する。
【００４２】
第二に、インペラ手段２００に隣接して形成されたインペラ手段の水冷式冷却部１８０は、空冷空気の流動経路１７０を流れる空気と共に、インペラ手段２００の温度上昇を防止する。
【００４３】
つまり、前記空冷空気の流動経路１７０を流れる空気は、インペラ手段２００のステータ２１０とローター２２０とを冷却する。
【００４４】
また、インペラ手段の水冷式冷却部１８０は、インペラ手段２００のステータ２１０および第２の空気吸入コンパートメント１２０の内壁を、冷却水を通して冷却させて、インペラ手段２００の一部の温度上昇を防止する。つまり、第２の空気吸入コンパートメント１２０の温度が上昇することを防止する。
【００４５】
第三に、インペラ手段の冷却ファン２４０により第２の空気吸入コンパートメント１２０の内部に吸入される空気は、第２の空気の吸入ダクト１５０および第２の空気の排出ダクト１６０により生成された空冷空気の流動経路１７０によって、空気が容易に流れてインペラ手段２００のステータ２１０およびローター２２０を通して第２の空気の排出ダクト１６０に排出することによって、第２の空気吸入コンパートメント１２０内部のスムーズな空気循環を図る。
【００４６】
即ち、本発明は、燃料電池用ターボ送風機の効率および耐久性を最大化する一環として、インペラ手段２００の冷却方法に焦点を合わせて、ブロワーのケーシング手段１００およびインペラ手段２００の有機的な結合によって空冷及び水冷を同時に使用することができる冷却構造が形成されて、インペラ手段２００を冷却することができるようにしたものである。
【００４７】
一方、本発明であるインペラ手段の冷却ファンが形成された燃料電池用ターボ送風機１の機能及び空気の流動を図４を参照して簡単に説明することとする。
【００４８】
外部から供給されるエネルギーによってインペラ手段２００が回転する(▲Ｓ１００、インペラ手段の動作段階)。
【００４９】
高速で回転するインペラ２３０によって第１の空気吸入コンパートメント１１０の内部に空気が吸入される(▲Ｓ２００、第１の空気の吸入段階)。
【００５０】
これと同時に、高速で回転するインペラ手段の冷却ファン２４０によって第２の空気吸入コンパートメント１２０の内部に空気が吸入される(▲Ｓ７００、第２の空気の吸入段階)。
【００５１】
前記インペラ２３０の高速回転で第１の空気の吸入ダクト１３０によって第１の空気吸入コンパートメント１１０の内部に吸入された空気がインペラ２３０に吸い込まれる(▲Ｓ３００、第１の空気の流動段階)。
【００５２】
インペラ２３０に吸い込まれた空気は圧縮される(▲Ｓ４００、空気の圧縮段階)。
【００５３】
圧縮された空気は第１の空気の排出ダクト１４０に吐出される(▲Ｓ５００、圧縮空気の排出段階)。
【００５４】
前記第１の空気の排出ダクト１４０に吐出される圧縮空気は、第１の空気の排出ダクト１４０と結合される燃料電池スタックに供給される(▲Ｓ６００、圧縮空気の供給段階)。
【００５５】
また、前記インペラ手段の冷却ファン２４０の高速回転で第２の空気の吸入ダクト１５０を通して吸入された空気は、第２の空気の排出ダクト１６０に排出される空冷空気の流動経路１７０に沿って流れる(▲Ｓ８００、第２の空気の流動段階)。
【００５６】
空冷空気の流動経路１７０を流れる空気によって第２の空気吸入コンパートメント１２０に位置したインペラ手段２００の一部を冷却させて(▲Ｓ９００、インペラ手段の冷却段階)、第２の空気吸入コンパートメント１２０の温度上昇を防止する。
【００５７】
前記第２の空気吸入コンパートメント１２０内部に吸い込まれた空気は、前記空冷空気の流動経路１７０に沿って流れ、インペラ手段２００の一部を冷却し、第２の空気の排出ダクト１６０を通して排出される(▲Ｓ１０００、空気の排出段階)。
【００５８】
この時、水冷を使用する第２の空気吸入コンパートメント１２０の冷却は、インペラ手段の水冷式冷却部１８０によって第２の空気の吸入段階(Ｓ７００)ないし空気の排出段階(Ｓ１０００)に至るまでの過程で連続的に作動して第２の空気吸入コンパートメント１２０を冷却する。
【００５９】
即ち、本発明は、吸い込んだ空気を圧縮し、燃料電池スタックに圧縮空気を提供するが、圧縮空気を提供するスペースと、インペラ手段２００を冷却するためのスペースとを個別に構成することにより、効率および耐久性の効果を最大限に活用されている燃料電池用ターボ送風機に関するものである。
【００６０】
参照して、第１の空気吸入コンパートメント１１０および第２の空気吸入コンパートメント１２０は、それぞれ密閉されて、インペラ２３０により第１の空気吸入コンパートメント１１０に吸入される空気が第２の空気吸入コンパートメント１２０に、インペラ手段の冷却ファン２４０により第２の空気吸入コンパートメント１２０に吸入される空気が、第１の空気吸入コンパートメント１１０に流入しないように構成するのが望ましい。
【００６１】
前記では本発明を実施例によって詳細に説明したが、本発明は実施例によって限定されず、本発明が属する技術分野において通常の知識を有するものであれば本発明の思想と精神を離れることなく、本発明を修正または変更できるであろう。
【産業上の利用可能性】
【００６２】
本発明はインペラ手段の冷却ファンが形成された燃料電池用ターボ送風機に関するものであり、これを作製する作製および販売業、特に、燃料電池スタックに圧縮空気を供給するための燃料電池用ターボ送風機に関連する産業、さらに、圧縮空気を必要とする全面的な産業など、さまざまな産業分野の増進に貢献するために適用することができる。
【符号の説明】
【００６３】
１  インペラ手段の冷却ファンが形成された燃料電池用ターボ送風機
１００  ブロワーのケーシング手段
１１０  第１の空気吸入コンパートメント 
１２０  第２の空気吸入コンパートメント
１３０  第１の空気吸入ダクト 
１４０  第１の空気排出ダクト 
１５０  第２の空気吸入ダクト 
１６０  第２の空気排出ダクト
１７０  空冷空気の流動経路 
１８０  インペラ手段の水冷式冷却部
１８１  冷却水の流入循環溝
２００  インペラ手段 
２１０  ステータ 
２２０  ローター 
２３０  インペラ
２４０  インペラ手段の冷却ファン 
Ｓ１００  インペラ手段の動作段階 
Ｓ２００  第１の空気の吸入段階 
Ｓ３００  第１の空気の流動段階 
Ｓ４００  空気の圧縮段階
Ｓ５００  圧縮空気の排出段階
Ｓ６００  圧縮空気の供給段階 
Ｓ７００  第２の空気吸入段階
Ｓ８００  第２の空気流動段階 
Ｓ９００  インペラ手段の冷却段階 
Ｓ１０００  空気の排出段階
【図１】
2020070802.tif 000003
【図２】
2020070802.tif 000004
【図３】
2020070802.tif 000005
【図４】
2020070802.tif 000006
【図５】
2020070802.tif 000007